(57)【要約】【課題】ゲーム機の前扉をキャビネットに対し、より良好な閉鎖性を持って施錠することができるゲーム機の施錠装置を提供する。【解決手段】基枠体１の第１支持板３に第３鉤部材１３が傾動可能に枢支され、その第３支持板５に第４鉤部材１４が傾動可能に枢支され、ゲーム機のキャビネット３０に固定された受け金具２１の係止部に係止されて前扉３１を施錠する。キャビネット３０の上縁部に係止可能な第１鉤部材が基枠体１の第１支持板３の上端部に枢支され、キャビネット３０の下縁部に係止可能な第２鉤部材１２が基枠体１の第３支持板５の下端部に枢支される。第１鉤部材１１と第２鉤部材１２には施錠方向に付勢するばね部材がかけられ、第１解錠作動杆１５と第２解錠作動杆１６が解錠方向に移動する際、第１鉤部材１１と第２鉤部材１２に係合して第１鉤部材１１と第２鉤部材１２を解錠方向に傾動させる。【選択図】図２
2006326091.tif 000002
【特許請求の範囲】
【請求項１】
取付板と支持板を有する縦長の基枠体と、該基枠体の取付板に固定され、該基枠体内に位置する錠軸にカム部材を取り付けてなるシリンダ錠と、該基枠体の支持板に傾動可能に枢支され、ゲーム機のキャビネット側に固定された受け金具の係止部に係止されて前扉を施錠する鉤部材と、該鉤部材に掛けられて該鉤部材を施錠方向に付勢するばね部材と、該基枠体の該支持板に沿って摺動可能に配設され、該カム部材の回動時に係合して摺動し、該鉤部材を解錠方向に傾動させる作動杆と、を備えたゲーム機の施錠装置において、
前記キャビネットの上縁部内の筐体凸部に係止可能な第１鉤部材が前記基枠体の支持板の上端部に枢支され、該キャビネットの下縁部内の筐体凸部に係止可能な第２鉤部材が該基枠体の支持板の下端部に枢支され、該第１鉤部材と第２鉤部材には施錠方向に付勢するばね部材がかけられ、前記作動杆が解錠方向に移動する際、該第１鉤部材と第２鉤部材に係合して該第１鉤部材と第２鉤部材を解錠方向に傾動させることを特徴とするゲーム機の施錠装置。
【請求項２】
前記第１鉤部材は係止凹部を上側に向けて水平位置から下方に傾動可能に枢支される一方、前記第２鉤部材は係止凹部を下側に向けて水平位置から上方に傾動可能に枢支されていることを特徴とする請求項１記載のゲーム機の施錠装置。
【請求項３】
前記受け金具の係止部に係止される鉤部材が第３鉤部材と第４鉤部材とからなり、該第３鉤部材と第４鉤部材には施錠方向に付勢するばね部材がかけられ、第３鉤部材は係止凹部を上側に向けて水平位置から下方に傾動可能に枢支される一方、第４鉤部材は係止凹部を下側に向けて水平位置から上方に傾動可能に枢支されていることを特徴とする請求項２記載のゲーム機の施錠装置。
【請求項４】
前記作動杆として第１解錠作動杆が前記支持板の上部に沿って配設されると共に、第２解錠作動杆が該支持板の下部に沿って配設され、該第１解錠作動杆は前記第１鉤部材と第３鉤部材に係合して解錠方向に傾動させ、該第２解錠作動杆は前記第２鉤部材と第４鉤部材に係合して解錠方向に傾動させることを特徴とする請求項３記載のゲーム機の施錠装置。
【請求項５】
前記シリンダ錠の錠軸に固定されたカム部材には、第１係合凸部と第２係合凸部が該カム部材の中央を通る対角線上の相対位置に形成され、該カム部材の一方向への回動時に該第１係合凸部が前記第１解錠作動杆に係合して該第１解錠作動杆を下方に摺動させ、該第２係合凸部が前記第２解錠作動杆に係合して該第２解錠作動杆を上方に摺動させて解錠動作することを特徴とする請求項４記載のゲーム機の施錠装置。
【発明の詳細な説明】
【技術分野】
【０００１】
本発明は、スロットマシンの前扉などを施錠するゲーム機の施錠装置に関し、特に扉の全体を高い閉鎖保持力をもって良好に施錠することができるゲーム機の施錠装置に関する。
【背景技術】
【０００２】
スロットマシンのキャビネットは、一般にパチンコ機の本体枠などより縦長に形成され、そのキャビネットの前開口部も、その前面全体が開口し、パチンコ機より縦長に形成された前扉がそのキャビネットの前開口部を閉鎖するように、装着されている。
【０００３】
従来のこの種のスロットマシンの前扉用の施錠装置は、例えば下記特許文献１に記載されるように、縦長の基枠体の上部と下部に鉤部材が揺動可能に枢支され、それらの鉤部材は、キャビネット側に固定される受け金具の係止部に係止されるように、ばね部材によって係止方向に付勢されて枢支され、２本の鉤部材により前扉をロックするものである。
【特許文献１】実公平７−３００６０号公報
【０００４】
この種の施錠装置において、上部の鉤部材と下部の鉤部材の元部は、基枠体内に長手方向に沿って摺動可能に配設された連結杆により連結され、基枠体の中間部にシリンダ錠がその錠軸を内側に挿入するように取り付けられ、錠軸の先端に固定したカム板の係合部がシリンダ錠の錠軸の回動時に連結杆と係合可能とされ、シリンダ錠の錠軸の回動によりカム板を回動させ、その係合部により連結杆を上又は下に摺動させ、上部と下部の鉤部材を傾動させて受け金具との係合を解除し、解錠を行なう。
【発明の開示】
【発明が解決しようとする課題】
【０００５】
この種のゲーム機の施錠装置は、２本の鉤部材によってロックするため、通常の場合、縦長の筐体を有するスロットマシンなどのキャビネットであっても、その前扉を良好に施錠することができる。しかしながら、不正解錠を目的として、キャビネットの前開口部と前扉の合わせ面に、バールなどの不正器具を差し込んで、前扉をこじ開けようとする力が加えられた場合、２本の鉤部材では、前扉の閉鎖保持力が不十分となり、キャビネットの前開口部と前扉間の周縁部の合わせ面に隙間が生じ、不正解錠が行なわれ易くなるという課題があった。
【０００６】
本発明は、上記の課題を解決するためになされたもので、ゲーム機の前扉をキャビネットに対し、より良好な閉鎖性を持って施錠することができるゲーム機の施錠装置を提供することを目的とする。
【課題を解決するための手段】
【０００７】
上記の目的を達成するために、本発明の請求項１のゲーム機の施錠装置は、取付板と支持板を有する縦長の基枠体と、該基枠体の取付板に固定され、該基枠体内に位置する錠軸にカム部材を取り付けてなるシリンダ錠と、該基枠体の支持板に傾動可能に枢支され、ゲーム機のキャビネット側に固定された受け金具の係止部に係止されて前扉を施錠する鉤部材と、該鉤部材に掛けられて該鉤部材を施錠方向に付勢するばね部材と、該基枠体の支持板に沿って摺動可能に配設され、該カム部材の回動時に係合して摺動し、該鉤部材を解錠方向に傾動させる作動杆と、を備えたゲーム機の施錠装置において、
前記キャビネットの上縁部内の筐体凸部に係止可能な第１鉤部材が前記基枠体の支持板の上端部に枢支され、該キャビネットの下縁部内の筐体凸部に係止可能な第２鉤部材が該基枠体の支持板の下端部に枢支され、該第１鉤部材と第２鉤部材には施錠方向に付勢するばね部材がかけられ、前記作動杆が解錠方向に移動する際、該第１鉤部材と第２鉤部材に係合して該第１鉤部材と第２鉤部材を解錠方向に傾動させることを特徴とする。
【０００８】
また、請求項２の発明は、上記請求項１の施錠装置において、前記第１鉤部材が係止凹部を上側に向けて水平位置から下方に傾動可能に枢支される一方、前記第２鉤部材は係止凹部を下側に向けて水平位置から上方に傾動可能に枢支されていることを特徴とする。
【０００９】
また、請求項３の発明は、上記請求項２の施錠装置において、前記受け金具の係止部に係止される鉤部材が第３鉤部材と第４鉤部材とからなり、該第３鉤部材と第４鉤部材には施錠方向に付勢するばね部材がかけられ、第３鉤部材は係止凹部を上側に向けて水平位置から下方に傾動可能に枢支される一方、第４鉤部材は係止凹部を下側に向けて水平位置から上方に傾動可能に枢支されていることを特徴とする。
【００１０】
また、請求項４の発明は、上記請求項３の施錠装置において、前記作動杆として第１解錠作動杆が前記支持板の上部に沿って配設されると共に、第２解錠作動杆が該支持板の下部に沿って配設され、該第１解錠作動杆は前記第１鉤部材と第３鉤部材に係合して解錠方向に傾動させ、該第２解錠作動杆は前記第２鉤部材と第４鉤部材に係合して解錠方向に傾動させることを特徴とする。
【００１１】
また、請求項５の発明は、上記請求項４の施錠装置において、前記シリンダ錠の錠軸に固定されたカム部材には、第１係合凸部と第２係合凸部が該カム部材の中央を通る対角線上の相対位置に形成され、該カム部材の一方向への回動時に該第１係合凸部が前記第１解錠作動杆に係合して該第１解錠作動杆を下方に摺動させ、該第２係合凸部が前記第２解錠作動杆に係合して該第２解錠作動杆を上方に摺動させて解錠動作することを特徴とする請求項４記載のゲーム機の施錠装置。
【発明の効果】
【００１２】
上記請求項１の施錠装置によれば、キャビネット側に固定された受け金具に係止される鉤部材に加え、キャビネットの上縁部内の筐体凸部に係止可能な第１鉤部材と該キャビネットの下縁部内の筐体凸部に係止可能な第２鉤部材が該基枠体の支持板の下端部に枢支されるため、施錠時には、鉤部材が受け金具に係止されると共に、第１鉤部材がキャビネットの上縁部内の筐体凸部に係止され、且つ第２鉤部材がキャビネットの下縁部内の筐体凸部に係止される。したがって、従来の一般的な２本の鉤部材によりロックする施錠装置に比べ、より大きい閉鎖保持力をもって施錠することができ、特に、第１鉤部材と第２鉤部材はキャビネットの上下縁部内に形成された筐体凸部に係止されるため、前扉の上部と下部の縁部の閉鎖保持力を高めることができる。
【００１３】
このため、キャビネットと前扉の上縁部または下縁部間に、バールのような不正工具を差し込んで、無理に開こうとした場合、第１鉤部材と第２鉤部材によって閉鎖保持力が大きく、隙間が生じにくくなり、不正解錠を効果的に防止することができる。また、各鉤部材は独立して傾動するから、仮に針金などを前扉の隙間に差し込み、何れか１つの鉤部材を針金などで引っ掛けて、解錠方向に傾動させても、他方の鉤部材は解錠方向に動くことはなく、この種の不正解錠を防止することができる。
【００１４】
また、請求項２の発明によれば、第１鉤部材が係止凹部を上側に向けて水平位置から下方に傾動可能に枢支される一方、第２鉤部材は係止凹部を下側に向けて水平位置から上方に傾動可能に枢支されるため、施錠時及び解錠時に各鉤部材をバランスよく円滑に傾動動作させることができる。
【００１５】
また、請求項３の発明によれば、第３鉤部材は第１鉤部材と同様に係止凹部を上側に向けて水平位置から下方に傾動可能に枢支される一方、第４鉤部材は第２鉤部材と同様に係止凹部を下側に向けて水平位置から上方に傾動可能に枢支され、各々の鉤部材が受け金具の係止部に係止されて施錠されるから、４本の鉤部材によってさらに大きい閉鎖保持力をもって前扉を施錠することができる。
【００１６】
また、請求項５の発明によれば、第１鉤部材〜第４鉤部材の４本の鉤部材を、２本の第１・第２解錠作動杆の相反方向への摺動によって傾動動作させて解錠し、第１・第２解錠作動杆の相反方向への摺動は、カム部材の中央を通る対角線上の相対位置に形成され第１係合凸部と第２係合凸部に係合させて行なうため、カム部材には第１・第２解錠作動杆を摺動させるための荷重がバランスよく作用し、比較的軽い力で第１解錠作動杆と第２解錠作動杆を解錠方向に摺動させて、第１鉤部材〜第４鉤部材の４本の鉤部材を円滑に解錠動作させることができる。
【発明を実施するための最良の形態】
【００１７】
以下、本発明の実施例を図面に基づいて説明する。図１はスロットマシンの施錠装置の正面図を、図２はその左側面図を、図３はその右側面図を、図４はその背面図を各々示し、図７、８はその分解図を示している。
【００１８】
１は取付板２と支持板を略L形につまり略直角に曲折して一体成形してなる縦長の基枠体で、基枠体１の支持板は３つに分割され、中央から上の第１支持板３、略中央の第２支持板４、及び下部の第３支持板５とから形成されている。また、基枠体１の取付板２における正面視で右側縁部の略中央には、第２支持板４と対向して高さの低い対向壁部６が、後述のカム部材８をガードするように立設されている。
【００１９】
第１支持板３の最上部には第１鉤部材１１用の第１枢支部３ａが形成され、その第１枢支部３ａの外側に、フック状の第１鉤部材１１がその三角形頭部の内側の係止凹部を上に向けて、枢支ピン１１ａにより枢支される。この枢支ピン１１ａを軸に第１鉤部材１１は、水平位置から下側に傾動（揺動）可能であり、第１鉤部材１１の元部には、ばね掛け部１１ｂが内側に曲折して形成される。第１鉤部材１１は、第１支持板３に設けた開口部からばね掛け部１１ｂを挿入するように、第１支持板３の外側に枢支される。基枠体１の内側でばね掛け部１１ｂと第１支持板３間にコイルばね９ａが掛けられ、第１鉤部材１１はコイルばね９ａによって水平姿勢（施錠状態）となるように付勢されている。
【００２０】
第１支持板３の上部にストッパ３ｃが外側に突出して形成され、第１鉤部材１１はストッパ３ｃに当接して水平姿勢で停止する。従って、第１鉤部材１１は、施錠時には、キャビネット３０の上縁部内に突設された筐体凸部３２に接触して回動力を受け、コイルばね９ａの付勢力に抗して自在に回動可能である。また、第１鉤部材１１の略中央には係合凸部１１ｃが外側に突出して設けられ、後述の第１解錠作動杆１５の係合部１５ａがカム部材８によって下方に摺動した時、係合凸部１１ｃに係合し、第１鉤部材１１を下側に傾動させて解錠する。
【００２１】
一方、基枠体１の下部における第３支持板５の最下部には、第２枢支部５ｂが形成され、その第２枢支部５ｂの外側に、フック状の第２鉤部材１２がその三角形頭部の内側の係止凹部を下に向けて、枢支ピン１２ａにより枢支される。この枢支ピン１２ａを軸に第２鉤部材１２は水平位置から上側に傾動（揺動）可能であり、第２鉤部材１２の元部にはばね掛け部１２ｂが内側に曲折して形成される。第２鉤部材１２は第３支持板５に設けた開口部からばね掛け部１２ｂを挿入するように、第３支持板５の外側に枢支される。基枠体１の内側におけるばね掛け部１２ｂと第３支持板５間にコイルばね９ｄが掛けられ、第２鉤部材１２はコイルばね９ｄによって水平姿勢（施錠状態）となるように付勢されている。
【００２２】
第３支持板５の下部にストッパ５ｃが外側に突出して形成され、第２鉤部材１２はストッパ５ｃに当接して水平姿勢で停止する。従って、第２鉤部材１２は施錠時には、キャビネット３０の下縁部内の筐体凸部３３に接触して回動力を受け、コイルばね９ｄの付勢力に抗して自在に回動可能である。また、第２鉤部材１２の略中央には係合凸部１２ｃが外側に突出して設けられ、後述の第２解錠作動杆１６の係合部１６ａがカム部材８の回動により上側に摺動した時、係合凸部１２ｃに係合し、第２鉤部材１２を上側に傾動させて解錠する。
【００２３】
このように、最上部の第１鉤部材１１は、基枠体１の上端部内に設けられた筐体凸部３２（例えばキャビネット３０の内側最上部に突設されたフランジ状のリブなどから形成される部分）に係止してロックするように係止凹部を上向きにして軸支され、さらに、最下部に位置する第２鉤部材１２は、基枠体１の下端部内に設けられた筐体凸部３３（例えばキャビネット３０の内側最下部に突設されたフランジ状のリブなどから形成される部分）に係止してロックするように係止凹部を下向きにして軸支されている。
【００２４】
さらに、第１鉤部材１１と第２鉤部材１２の間に、第３鉤部材１３が第１支持板３の第２枢支部３ｂに枢支され、第４鉤部材１４が第３支持板５の第１枢支部５ａに枢支される。すなわち、第１支持板３の中間部に第２枢支部３ｂが設けられ、この第２枢支部３ｂに第３鉤部材１３が枢支ピン１３ａにより下側に傾動可能に枢支されている。この第３鉤部材１３は上記第１鉤部材１１と同様に、その三角形頭部の内側の係止凹部を上向きにして下側に傾動可能に、第１支持板３の外側に枢支され、第３鉤部材１３の元部に内側に曲折して設けたばね掛け部１３ｂを、第２枢支部３ｂに設けた開口部から内側に差し入れて装着される。そして、ばね掛け部１３ｂと第１支持板３間にコイルばね９ｂが掛けられ、第３鉤部材１３は上側の施錠方向に付勢されており、水平位置で停止し、下方に傾動可能としている。従って、第３鉤部材１３は施錠時には受け金具２１の係止部２２に接触して回動力を受け、コイルばね９ｂの付勢力に抗して回動（傾動）可能である。さらに、この第３鉤部材１３には、上記第１解錠作動杆１５の係合部１５ｂが係合可能であり、第１解錠作動杆１５が下降したとき、その係合部１５ｂが第３鉤部材１３の一部に係合して、上記第１鉤部材１１と同様にこれを水平位置から下側に傾動させ、解錠動作を行う。
【００２５】
さらに、第３支持板５の上部に第１枢支部５ａが設けられ、この第１枢支部５ａに第４鉤部材１４が枢支ピン１４ａにより上側に傾動可能に水平に枢支されている。この第４鉤部材１４は上記第２鉤部材１２と同様に、その三角形頭部の内側の係止凹部を上向きにして下側に傾動可能に、第３支持板５の外側に枢支され、第４鉤部材１４の元部に内側に曲折して設けたばね掛け部１４ｂを、第１枢支部５ａに設けた開口部から内側に差し入れて装着される。そして、ばね掛け部１４ｂと第３支持板５間にコイルばね９ｃが掛けられ、第４鉤部材１４は下側の施錠方向に付勢されており、水平位置で停止し、上方に傾動可能としている。従って、第４鉤部材１４は施錠時には受け金具２１の係止部２３に接触して回動力を受け、コイルばね９ｃの付勢力に抗して自在に回動可能である。さらに、この第４鉤部材１４には、上記第２解錠作動杆１６の係合部１６ｂが係合可能であり、第２解錠作動杆１６が上昇したとき、その係合部１６ｂが第４鉤部材１４の一部に係合して、上記第２鉤部材１２と同様にこれを水平位置から上側に傾動させ、解錠動作を行う。
【００２６】
図７、図８に示すように、第１解錠作動杆１５には３個のガイド用の長孔が形成され、それらの長孔にガイドピン１８ａ，１８ｂ，１８ｃが挿入され、各ガイドピン１８ａ，１８ｂ，１８ｃの先端が第１支持板３に固定される。これにより、第１解錠作動杆１５は第１支持板３の外側に沿って上下に摺動可能に、それらの長孔とガイドピン１８ａ，１８ｂ，１８ｃの係合により支持され、上記第１鉤部材１１及び第３鉤部材１３は第１支持板３の外側に枢支されている。また、第１解錠作動杆１５の下部は、図３、図８に示すように、対向壁部６とカム部材８の間を通るように曲折されて配設され、第１解錠作動杆１５の下部にはカム部材８の第１係合凸部８ａが係合可能な係合部１５ｃが形成されている。したがって、後述のシリンダ錠７の操作によってカム部材８を、図３の反時計方向に回動させたとき、カム部材８の第１係合凸部８ａが係合部１５ｃ係合して第１解錠作動杆１５を下方に摺動させる。
【００２７】
また、第２解錠作動杆１６には２個のガイド用の長孔が形成され、それらの長孔にガイドピン１８ｄ，１８ｅが挿入され、各ガイドピン１８ｄ，１８ｅの先端が第３支持板５に固定される。これにより、第２解錠作動杆１６は第３支持板５の外側に沿って上下に摺動可能に、長孔とガイドピン１８ｄ，１８ｅの係合により支持されている。
【００２８】
また、第２解錠作動杆１６の下部は、図３、図８に示すように、第２支持板４とカム部材８の間を通るように配設され、第２解錠作動杆１６の上部にはカム部材８の第２係合凸部８ｂが係合可能な係合部１６ｃが形成されている。カム部材８は、図３、図８に示すように、第１係合凸部８ａと第２係合凸部８ｂを、カムの中心を通る対角線上に形成しており、後述のシリンダ錠７の操作によってカム部材８を、図３の反時計方向に回動させたとき、カム部材８の第２係合凸部８ｂが係合部１６ｃ係合して第２解錠作動杆１６を上方に摺動させる。このように、カム部材８の反時計方向の回動により、第１解錠作動杆１５は下方に摺動し、第２解錠作動杆１６は上方に摺動するようにしている。
【００２９】
さらに、中間位置の第２支持板４の内側には、スイッチ用作動杆１７が摺動可能に配設される。スイッチ用作動杆１７には図８に示すように作動部１７ａが外側に突出して設けられ、この作動部１７ａを第２支持板４に設けた長孔から突き出すように、第２支持板４と第２解錠作動杆１６の上端部との間で摺動可能に支持されている。また、このスイッチ用作動杆１７と第２支持板４との間にコイルばね９ｅ（図８）が掛け渡され、スイッチ用作動杆１７を上方に付勢する。
【００３０】
また、スイッチ用作動杆１７の上部にはカム部材８の第３係合凸部８ｃと係合可能な係合部１７ａが設けられ、図３、図８における時計方向（解錠操作時とは逆方向）にカム部材８が回動したとき、第３係合凸部８ｃが係合部１７ａに係合し、スイッチ用作動杆１７を下方に摺動させる。第２支持板４の外側に、ブラケット１９を介して非接触スイッチが取り付けられ、スイッチ用作動杆１７の下方摺動時に作動部１７ａが作用して、非接触スイッチがオンオフ作動する。
【００３１】
取付板２における第２支持板４と対向壁部６の間には、シリンダ錠７が錠軸７ａを基枠体１内に挿入するように、前方に突出して取り付けられる。取付板２の所定位置に大径孔が穿設され、その大径孔にシリンダ錠７の外筒を通し、その元部のフランジ７ｂを取付板２に固定するようにして、シリンダ錠７は取り付けられる。シリンダ錠７の錠軸７ａには上記カム部材８が固定される。
【００３２】
上記のよう、カム部材８には、３個の係合凸部８ａ，８ｂ，８ｃが設けられ、そのうちの対角線上の２個の係合凸部８ａ，８ｂは、第１解錠作動杆１５を下方に第２解錠作動杆１６を上方に摺動させて、解錠用に使用され、残り１個の係合凸部８ｃはスイッチ用作動杆１７をスイッチ作動用に使用される。なお、第３支持板５の突出した部分には、支持ローラ２０が回動自在に軸支され、扉の閉鎖時にキャビネット３０側の滑り板２４を転動し、前扉３１を支持するように作用する。
【００３３】
図５、図６はキャビネット３０側に固定される受け金具２１を示している。受け金具２１は縦長で帯状の金属板本体を有して形成され、施錠装置の第３鉤部材１３と第４鉤部材１４に対応した位置に、それらの鉤部材が係止される係止部２２，２３が、金属板本体の平面から水平方向に突出して形成されている。この係止部２２，２３は、側面形状が略半円形に曲折して形成され、正面形状が凸状の曲面として形成されている。つまり、鉤部材１３，１４の三角形頭部の傾斜部が接触する係止部２２，２３の正面部分が、凸状曲面となるように形成されている。このように、受け金具２１の係止部２２，２３が、半円形側面を有する凸状曲面つまり半円筒形に形成されることにより、平板状の従来の係止部に比べ、前後方向に荷重を受けた際の耐力（耐変形力）を増大させ、堅強な構造としている。
【００３４】
このように構成された施錠装置は、図９、図１０に示す如く、スロットマシンのキャビネット３０の前開口部に開閉可能に装着された前扉３１の自由端側の内側縁部に、シリンダ錠７の先端を前扉３１の前面側に露出させ、第１鉤部材１１〜第４鉤部材１４をキャビネット３０側に向けた姿勢で、取付板２と固定ねじを用いて縦に取付けられる。
【００３５】
キャビネット３０の開口縁部における上縁部と下縁部には、筐体内のリブなどとして、上側の筐体凸部３２と下側の筐体凸部３３が、内側に張り出すように突設される。つまりキャビネット３０の天板から下方に垂直に筐体凸部３２が突設され、キャビネット３０の底板から上方に垂直に筐体凸部３３が突設されている。基枠体１の長さは、この筐体凸部３２と筐体凸部３３間の長さに略一致するように形成され、基枠体１の上端部の第１鉤部材１１が筐体凸部３２に係止可能であり、下端部の第２鉤部材１２が筐体凸部３３に係止可能な位置に、施錠装置は前扉３１に取り付けられる。
【００３６】
なお、筐体凸部３２と筐体凸部３３には鉤部材の係止位置に矩形孔を穿設し、第１鉤部材１１、第２鉤部材１２が各々筐体凸部３２、筐体凸部３３に係止されたとき、鉤部材の先端部がその矩形孔に嵌合するように構成することができる。施錠時に第１鉤部材１１、第２鉤部材１２の先端を筐体凸部３２、筐体凸部３３の矩形孔に嵌合させることにより、筐体凸部３２、筐体凸部３３に対し第１鉤部材１１、第２鉤部材１２の係止位置を拘束することができ、不正解錠により前扉の横方向の荷重が生じた場合でも、前扉の横方向のずれを防止することができる。
【００３７】
一方、キャビネット３０内側には、正面視で右側壁部の前側縁部に、受け金具２１が縦に固定され、受け金具２１の上部の係止部２２は施錠装置の第３鉤部材１３に対向して位置し、下部の係止部２３は第４鉤部材１４に対向して位置することになる。
【００３８】
スロットマシンの前扉３１をキャビネット３０に対し閉じると、図１０に示すように、第１鉤部材１１がキャビネット３０上部の筐体凸部３２に接触して下方に傾動し、第２鉤部材１２がキャビネット３０下部の筐体凸部３３に接触して上方に傾動し、第３鉤部材１３が受け金具２１の上側の係止部２２に接触して下方に傾動し、さらに、第４鉤部材１４が受け金具２１の下側の係止部２３に接触して下方に傾動する。そして、これらの第１鉤部材１１〜第４鉤部材１４がその係止位置に達すると、それを施錠位置に付勢する各コイルばね９ａ，９ｂ、９ｃ、９ｄの付勢力により戻って係止され、施錠状態となる。
【００３９】
このとき、第１鉤部材〜第４鉤部材１１〜１４は、各々が独立して傾動可能に枢支され、コイルばね９ａ〜９ｄの付勢力に抗して傾動するのみであるから、前扉３１を閉じた際、非常に小さい力で軽く鉤部材１１〜１４を傾動させて施錠することができる。特に、第３鉤部材１３と第４鉤部材１４は、施錠時、受け金具２１に設けられた側面を半円形とし前面に凸状曲面を有する係止部２２，２３に接触して傾動するため、接触時の摩擦抵抗は最少となり、非常に小さい力で軽く鉤部材１３、１４を傾動させて施錠することができる。
【００４０】
さらに、施錠した状態では、前扉３１は４本の第１鉤部材〜第４鉤部材１１〜１４の係止によりロックされるため、従来の２本の鉤部材に比べ、より大きい閉鎖保持力をもって施錠することができる。特に、基枠体１の上端部と下端部に位置する第１鉤部材１１と第２鉤部材１２は、キャビネット３０の天板内側の筐体凸部３２と底板上の筐体凸部３３に係止されるため、前扉３１の上部と下部の縁部の閉鎖性を高めることができる。従って、キャビネット３０と前扉３１の上縁部または下縁部の間に、バールのような不正工具を差し込んで、無理に開こうとした場合、隙間が広がりにくく、不正解錠を効果的に防止することができる。また、各鉤部材１１〜１４は独立して傾動するから、仮に針金などを前扉３１の隙間に差し込み、何れか１つの鉤部材を針金などで引っ掛けて、解錠方向に傾動させても、他方の鉤部材は解錠方向に動くことはなく、この種の不正解錠を防止することができる。
【００４１】
前扉３１を解錠する場合は、キーによってシリンダ錠７の錠軸７ａを回し、カム部材８を図３の反時計方向に回転させる。これにより、カム部材８の第１係合凸部８ａが第１解錠作動杆１５の係合部１５ｃと係合してこれを下方へ摺動させ、同時にカム部材８の第２係合凸部８ｂが第２解錠作動杆１６の係合部１６ｃと係合してこれを上方へ摺動させる。
【００４２】
このとき、カム部材８はその第１係合凸部８ａと第２係合凸部８ｂがカムの中央を通る対角線上に位置するため、カム部材８には第１解錠作動杆１５と第２解錠作動杆１６を摺動させるための荷重がバランスよく作用し、比較的軽い力で第１解錠作動杆１５と第２解錠作動杆１６を解錠方向に摺動させることができる。
【００４３】
そして、解錠操作時には、第１解錠作動杆１５が下方に摺動し、第２解錠作動杆１６が上方に摺動し、第１鉤部材１１と第３鉤部材１３が下方に傾動し、第２鉤部材１２と第４鉤部材１４が上方に傾動する。この４本の第１鉤部材〜第４鉤部材１１〜１４の傾動によって、キャビネット３０の筐体凸部３２と筐体凸部３３との係合、及び受け金具２１の係止部２２，２３との係合が外れ、前扉３１は開放可能な状態となる。
【００４４】
このように、本発明のゲーム機の施錠装置によれば、施錠状態で、前扉は４本の第１鉤部材〜第４鉤部材の係止によってロックされるため、従来の２本の鉤部材に比べ、より大きい閉鎖保持力をもって施錠することができ、特に、第１鉤部材と第２鉤部材はキャビネットの上部の筐体凸部と下部の筐体凸部に係止されるため、前扉の上縁部と下縁部の閉鎖性を高めることができる。従って、キャビネットと前扉の間に、バールのような不正工具を差し込んで、無理に開こうとしても、隙間が生じにくく、不正解錠を効果的に防止することができる。また、各鉤部材は独立して傾動するから、仮に針金などを前扉の隙間に差し込み、何れか１つの鉤部材を針金などで引っ掛けて、解錠方向に傾動させても、他方の鉤部材は解錠方向に動くことはなく、この種の不正解錠を防止することができる。なお、上記実施形態では、スロットマシンの前扉を施錠する施錠装置について説明したが、他のパチンコ機のようなゲーム機の施錠装置に適用することもできる。
【図面の簡単な説明】
【００４５】
【図１】本発明の一実施形態を示す施錠装置の正面図である。
【図２】その右側面図である。
【図３】その背面図である。
【図４】その左側面図である。
【図５】受け金具の背面図である。
【図６】同受け金具の左側面図である。
【図７】施錠装置の分解右側面図である。
【図８】施錠装置の分解背面図である。
【図９】前扉を開いた状態の使用状態を示す左側面図である。
【図１０】前扉を閉じた状態の使用状態を示す左側面図である。
【符号の説明】
【００４６】
１−基枠体
２−取付板
３−第１支持板
４−第２支持板
５−第３支持板
７−シリンダ錠
８−カム部材
８ａ−第１係合凸部
８ｂ−第２係合凸部
８ｃ−第３係合凸部
１１−第１鉤部材
１２−第２鉤部材
１３−第３鉤部材
１４−第４鉤部材
１５−第１解錠作動杆
１６−第２解錠作動杆
２１−受け金具
２２，２３−係止部
３０−キャビネット
３１−前扉
３２、３３−筐体凸部
【図１】
2006326091.tif 000003
【図２】
2006326091.tif 000004
【図３】
2006326091.tif 000005
【図４】
2006326091.tif 000006
【図５】
2006326091.tif 000007
【図６】
2006326091.tif 000008
【図７】
2006326091.tif 000009
【図８】
2006326091.tif 000010
【図９】
2006326091.tif 000011
【図１０】
2006326091.tif 000012